(57)【要約】【課題】  印刷者や上位装置の情報の漏洩を防止し、セキュリティの向上を図ることができる印刷システムを提供する。【解決手段】  印刷データを作成する上位装置１と、上位装置１から送信された印刷データを印刷するプリンタ装置２とを備えた印刷システムにおいて、上位装置１は、印刷者や上位装置の情報を取得する上位装置情報取得モジュール１４と、印刷者や上位装置の情報をバーコード情報に変換するバーコード作成モジュール１５とを備えた。【選択図】        図１
2006260113.tif 000002
【特許請求の範囲】
【請求項１】
印刷データを作成する上位装置と、該上位装置から送信された印刷データを印刷するプリンタ装置とを備えた印刷システムにおいて、前記上位装置は印刷者や上位装置の情報を取得する上位装置情報取得モジュールと、該上位装置情報取得モジュールにより取得した情報をバーコード情報に変換するバーコード作成モジュールとを備えていることを特徴とする印刷システム。
【請求項２】
請求項１に記載の印刷システムにおいて、前記バーコード情報を印刷データのフッタヘッダに付加するフッタヘッダ付加モジュールを備えたことを特徴とする印刷システム。
【請求項３】
請求項１に記載の印刷システムにおいて、前記バーコード情報を印刷データの地紋に付加する地紋モジュールを備えたことを特徴とする印刷システム。
【請求項４】
請求項１に記載の印刷システムにおいて、前記印刷データからバーコード情報を読み取り元データに変換するデコードモジュールと、元データを表示する表示モジュールとを備えたことを特徴とする印刷システム。
【請求項５】
請求項１に記載の印刷システムにおいて、前記印刷データからバーコード情報を読み取り元データに変換するデコードモジュールと、元データを管理する管理モジュールとを備えたことを特徴とする印刷システム。
【発明の詳細な説明】
【技術分野】
【０００１】
本発明は、印刷データを作成する上位装置と、上位装置から送信された印刷データを印刷するプリンタ装置とを備えた印刷システムに関し、特に印刷情報管理技術に特徴のある印刷システムに関する。
【背景技術】
【０００２】
図８に基づき従来の印刷システムに付いて説明する。
印刷システムは、印刷データを作成する上位装置１と、上位装置１から送信された印刷データを印刷するプリンタ装置２とから構成されている。そして上位装置１は、文書作成部（アプリケーションプログラム）１１と、オペレーティングシステム１２と、プリンタドライバ１３とを有する。
文書作成部１１で作成された文書データや図形データなどの印刷データは、オペレーティングシステム１２を介してプリンタドライバ１３に送られる。プリンタドライバ１３は印刷データをプリンタ装置２が理解するコードに変換し、プリンタ装置２に送信する。
プリンタドライバ１３は、通常、プリンタ装置２が持つ機能をユーザーに提供するために各種設定ができるようにしてある。例えば、両面機能を持つプリンタ装置２であれば、両面印刷を設定できるようＵＩ（ユーザーインターフェイス）を持ち、そこでユーザーが両面印刷を設定すれば、両面印刷を指示する命令を印刷データと共にプリンタ装置２へ送るように作られている。
【発明の開示】
【発明が解決しようとする課題】
【０００３】
ところで、従来の印刷システムにおいては、印刷者や上位装置の情報をテキスト形式で印刷データに付加する技術が存在し、印刷者や上位装置の情報、例えばユーザー名やＩＰアドレス等セキュリティ情報を、図９、図１０に示すように、簡単に読める形式で付加していた。そのため、印刷者や上位装置の情報が外部に漏洩してしまうという問題があった。
本発明は、印刷者や上位装置の情報の漏洩を防止し、セキュリティの向上を図ることができる印刷システムを提供することを目的とする。
【課題を解決するための手段】
【０００４】
上記目的を達成するために、請求項１記載の発明は、印刷データを作成する上位装置と、該上位装置から送信された印刷データを印刷するプリンタ装置とを備えた印刷システムにおいて、前記上位装置は印刷者や上位装置の情報を取得する上位装置情報取得モジュールと、該上位装置情報取得モジュールにより取得した情報をバーコード情報に変換するバーコード作成モジュールとを備えていることを特徴とする。
請求項２記載の発明は、請求項１に記載の印刷システムにおいて、前記バーコード情報を印刷データのフッタヘッダに付加するフッタヘッダ付加モジュールを備えたことを特徴とする。
請求項３記載の発明は、請求項１に記載の印刷システムにおいて、前記バーコード情報を印刷データの地紋に付加する地紋モジュールを備えたことを特徴とする。
請求項４記載の発明は、請求項１に記載の印刷システムにおいて、前記印刷データからバーコード情報を読み取り元データに変換するデコードモジュールと、元データを表示する表示モジュールとを備えたことを特徴とする。
請求項５記載の発明は、請求項１に記載の印刷システムにおいて、前記印刷データからバーコード情報を読み取り元データに変換するデコードモジュールと、元データを管理する管理モジュールとを備えたことを特徴とする。
【発明の効果】
【０００５】
本発明は、印刷データを作成する上位装置と、上位装置から送信された印刷データを印刷するプリンタ装置とを備えた印刷システムにおいて、上位装置は、印刷者や上位装置の情報を取得する上位装置情報取得モジュールと、印刷者や上位装置の情報をバーコード情報に変換するバーコード作成モジュールとを備え、さらに、バーコード情報を印刷データのフッタヘッダに付加するフッタヘッダ付加モジュール、あるいはバーコード情報を印刷データの地紋に付加する地紋モジュールを備えたことにより、印刷者や上位装置の情報の漏洩を防止し、セキュリティの向上を図ることができる。
【発明を実施するための最良の形態】
【０００６】
以下、図面を参照して、本発明の実施形態を詳細に説明する。
図１は本発明の第１の実施形態に係る印刷システムにおいて、上位装置を詳細に示すブロック図である。図８に示す従来印刷システムと同一部位には同一符号を付す。
上位装置１は、文書作成部１１とオペレーティングシステム１２とプリンタドライバ１３の他に、上位装置情報取得モジュール１４、バーコード作成モジュール１５、フッタヘッダ付加モジュール１６を有する。
図２は本発明の第２の実施形態に係る印刷システムにおいて、上位装置を詳細に示すブロック図である。上位装置１は、文書作成部１１とオペレーティングシステム１２とプリンタドライバ１３の他に、上位装置情報取得モジュール１４、バーコード作成モジュール１５、地紋モジュール１７を有する。
図３はバーコード作成モジュールの処理を示す図である。図１に示す印刷システムにおいては、印刷データを上位装置１からプリンタ装置２に送信する際に、上位装置情報取得モジュール１４で印刷者や上位装置１の情報を取得し、バーコード作成モジュール１５でバーコード情報を作成する。得られたバーコード情報を、フッタヘッダ付加モジュール１６で印刷データのフッタヘッダ部に追加し印刷を行う。
また図２に示す印刷システムにおいては、印刷データを上位装置１からプリンタ装置２に送信する際に、上位装置情報取得モジュール１４で印刷者や上位装置１の情報を取得し、バーコード作成モジュール１５でバーコード情報を作成する。得られたバーコード情報を、地紋を付加する地紋モジュール１７を使用し、地紋として印刷データに付加する。
【０００７】
図４は情報付加前後の印刷データの例を示す図（その１）である。具体的には、印刷者や上位装置の情報を、印刷データのフッタヘッダ部に追加し印刷を行った例を示す。
図５は情報付加前後の印刷データの例を示す図（その２）である。具体的には、印刷者や上位装置の情報を、印刷データの地紋に追加し印刷を行った例を示す。
図４、図５に示すように、印刷者や上位装置のセキュリティ情報にバーコードを使用することにより、バーコードリーダーやデコードシステムがなければ解読できなくなり、セキュリティの向上を図ることができる。
図６は付加したバーコードの読み取り及び表示の様子を示す図である。バーコードを付加した印刷結果から、バーコード部を読み込んでデコードモジュール１８でデコードし、つまり元データに変換し、表示モジュール１９でバーコードの内容を表示する。
図７は付加したバーコードの読み取り及び管理の様子を示す図である。バーコードを付加した印刷結果から、バーコード部を読み込んでデコードモジュール１８でデコードし、つまり元データに変換し、管理モジュール２０で管理を行う。
【図面の簡単な説明】
【０００８】
【図１】本発明の第１の実施形態に係る印刷システムにおいて、上位装置を詳細に示すブロック図。
【図２】本発明の第２の実施形態に係る印刷システムにおいて、上位装置を詳細に示すブロック図。
【図３】バーコード作成モジュールの処理を示す図。
【図４】本発明の印刷システムによる情報付加前後の印刷データの例を示す図（その１）。
【図５】本発明の印刷システムによる情報付加前後の印刷データの例を示す図（その２）。
【図６】付加したバーコードの読み取り及び表示の様子を示す図。
【図７】付加したバーコードの読み取り及び管理の様子を示す図。
【図８】従来の印刷システムにおいて、上位装置を詳細に示すブロック図。
【図９】従来の印刷システムによる情報付加前後の印刷データの例を示す図（その１）。
【図１０】従来の印刷システムによる情報付加前後の印刷データの例を示す図（その２）。
【符号の説明】
【０００９】
１  上位装置、２  プリンタ装置、１１  文書作成部、１２  オペレーティングシステム、１３  プリンタドライバ、１４  上位装置情報取得モジュール、１５  バーコード作成モジュール、１６  フッタヘッダ付加モジュール
【図１】
2006260113.tif 000003
【図２】
2006260113.tif 000004
【図３】
2006260113.tif 000005
【図４】
2006260113.tif 000006
【図５】
2006260113.tif 000007
【図６】
2006260113.tif 000008
【図７】
2006260113.tif 000009
【図８】
2006260113.tif 000010
【図９】
2006260113.tif 000011
【図１０】
2006260113.tif 000012